(57)【特許請求の範囲】
【請求項１】
前方に開閉可能に支持されたパチンコ機の前面枠の上部裏側に球タンクが設けられ、該前面枠を閉じた状態で該球タンク内に補給筒が垂下することにより島台の球供給樋からパチンコ球が補給されるようにしたパチンコ球補給装置であって、基板に補給筒を垂下状態および前方起立状態となり得るように鉛直面内で回転自在に支持し、該補給筒が前方起立状態となるよう前方に付勢する第１バネを設け、作動杆と球止片とを基部を共通とする二股状に一体に形成し、該基部を垂下状態にある前記補給筒の後側で該補給筒の基部付近に後方に回転自在なるように枢支し、該球止片に形成された突起が該補給筒内に突出するように該球止片と作動杆とを前方に付勢する第２バネを設け、該第２バネは前記第１バネが補給筒を前方に付勢する張力よりもさらに強い張力で該球止片と作動杆とを前方に付勢するように両バネの張力が設定され、前面枠を閉じる過程では球タンクの後側壁が作動杆に当たって該作動杆が後方に押されることにより第１バネの張力に抗して該作動杆と補給筒とが一体的に後方に回転して該補給筒が前記基板に当接し球タンク内で垂下状態になって停止した後にさらに該作動杆が後方に押されることにより第２バネの張力に抗して該作動杆が後方に回転し該作動杆と一体の前記球止片が後方に回転することで前記突起が補給筒内から退避して該補給筒が開放され、前面枠を開ける過程では強い第２バネの張力によって先に作動杆と一体の前記球止片が前方に回転することで前記突起が補給筒内に突出して該補給筒が閉止され、その後に第１バネの張力によって補給筒が前方起立状態となるようにしたパチンコ球補給装置において、基板の前記補給筒と当接する部位または前記補給筒の基板と当接する部位に調節部材を設け、前面枠を閉じる過程で該調節部材が補給筒または基板に当接することにより該補給筒の後方への回転が停止されるようにしたことを特徴とするパチンコ球補給装置。
【請求項２】
請求項１に記載したパチンコ球補給装置であって、島台内に略水平に設けられた取付レールにスライド板を該取付レールの長手方向に設定位置調節可能に取り付けるとともに、該スライド板に対し取付板を上下方向に設定位置調節可能に固定し、さらに該取付板に基板が前後方向に設定位置調節可能に固定され、該取付板と該基板との互いの接触面に、該取付板の設定位置調節可能方向に一定ピッチで凹凸が連なるラック歯状の滑止部を形成し、該取付板に基板を固定するに際し該滑止部が互いに噛み合うようにしたことを特徴とするパチンコ球補給装置。
【発明の詳細な説明】
【技術分野】
【０００１】
本発明は、パチンコ機に設けられた賞球用球タンクに、島台の球供給樋からパチンコ球を補給するための装置に関するものである。
【背景技術】
【０００２】
パチンコ機の前面枠の上部裏側に設けられた賞球用球タンクに、島台の球供給樋から補給筒を垂下することにより、パチンコ球を補給する装置であって、該補給筒が前面枠を開閉するのに伴い回転して該球タンク内に垂下状態または前方起立状態となり、その回転に伴い球止片を補給筒内に出没させることにより該補給筒の玉流出口が開閉され、パチンコ球の流出が制御されるようにしたパチンコ球補給装置は下記特許文献１等により知られている。
【０００３】
ところで、特許文献１等に示されたような従来のパチンコ球補給装置は、前面枠を開けることで補給筒が回転するものであるので、前面枠を急に開けると補給筒内に残っていたパチンコ球が球タンク外にこぼれ落ちるおそれがあった。このため、前面枠を開けると同時に補給筒から流出した球を他方の手の平で受ける必要があり、なれないと遊技場の床にこぼれ球を散乱させるおそれがあった。
【０００４】
一方、下記特許文献２に示されたパチンコ球補給装置は、前面枠が開けられかけると即座に補給筒が閉じられるとともに、前面枠が完全に閉じられた後にはじめて補給筒が開けられるようにすることで、上記のようなパチンコ球のこぼれ落ちを改善せんとするものであった。
【先行技術文献】
【特許文献】
【０００５】
【特許文献１】特開平３−１４９０７２号公報
【特許文献２】特開２００６−８１７６５号公報
【発明の概要】
【発明が解決しようとする課題】
【０００６】
ところで、パチンコ機に設けられている上記球タンクの形状はメーカーによって異なり、前面枠を閉じたときの球タンクの後側壁の位置や高さ、或いは球タンクの深さ等は様々であるので、パチンコ機を島台に設置するにあたっては、上記パチンコ球補給装置の位置および高さを調節する必要があり、従来からこれらを調節可能な構造が採られている。しかし、その調節をしたとしても、従来構造では、補給筒を前後方向に調節すること、および、補給筒の回転角度と該補給筒の開閉との関係を調節することができなかったので、前面枠を開くに伴い球タンク内にパチンコ球を放出させるタイミング、および、前面枠を閉じるに伴いパチンコ球の放出をストップさせるタイミングを状況に合うように設定することが困難であった。このため、依然としてパチンコ球のこぼれ落ち、補給不良、等が発生するおそれがあった。本発明はこのような問題点を解決しようとするものである。
【課題を解決するための手段】
【０００７】
そのために本発明は、前方に開閉可能に支持されたパチンコ機の前面枠の上部裏側に球タンクが設けられ、該前面枠を閉じた状態で該球タンク内に補給筒が垂下することにより島台の球供給樋からパチンコ球が補給されるようにしたパチンコ球補給装置であって、該島台内に略水平に設けられた取付レールにスライド板を該取付レールの長手方向に設定位置調節可能に取り付けるとともに、該スライド板に対し取付板を上下方向に設定位置調節可能に固定し、さらに該取付板に基板を前後方向に設定位置調節可能に固定し、該基板に補給筒を垂下状態および前方起立状態となり得るように鉛直面内で回転自在に設けてなることを特徴とする。
このように基板を前後方向にも設定位置調節可能に固設したことで、個々のパチンコ機の球タンクに合うように調節できる。  
【０００８】
また、本発明は、前方に開閉可能に支持されたパチンコ機の前面枠の上部裏側に球タンクが設けられ、該前面枠を閉じた状態で該球タンク内に補給筒が垂下することにより島台の球供給樋からパチンコ球が補給されるようにしたパチンコ球補給装置であって、基板に補給筒を垂下状態および前方起立状態となり得るように鉛直面内で回転自在に支持し、該補給筒が前方起立状態となるよう前方に付勢する第１バネを設け、作動杆と球止片とを基部を共通とする二股状に一体に形成し、該基部を垂下状態にある前記補給筒の後側で該補給筒の基部付近に後方に回転自在なるように枢支し、該球止片に形成された突起が該補給筒内に突出するように該球止片と作動杆とを前方に付勢する第２バネを設け、該第２バネは前記第１バネが補給筒を前方に付勢する張力よりもさらに強い張力で該球止片と作動杆とを前方に付勢するように両バネの張力が設定され、前面枠を閉じる過程では球タンクの後側壁が作動杆に当たって該作動杆が後方に押されることにより第１バネの張力に抗して該作動杆と補給筒とが一体的に後方に回転して該補給筒が前記基板に当接し球タンク内で垂下状態になって停止した後にさらに該作動杆が後方に押されることにより第２バネの張力に抗して該作動杆が後方に回転し該作動杆と一体の前記球止片が後方に回転することで前記突起が補給筒内から退避して該補給筒が開放され、前面枠を開ける過程では強い第２バネの張力によって先に作動杆と一体の前記球止片が前方に回転することで前記突起が補給筒内に突出して該補給筒が閉止され、その後に第１バネの張力によって補給筒が前方起立状態となるようにしたパチンコ球補給装置において、基板の前記補給筒と当接する部位または前記補給筒の基板と当接する部位に調節部材を設け、前面枠を閉じる過程で該調節部材が補給筒または基板に当接することにより該補給筒の後方への回転が停止されるようにしたことを特徴とする。
このように調節部材を設けることにより、球タンク内に垂下する補給筒の角度、および、該補給筒の先端部開口が開閉するタイミングなどを個々のパチンコ機の球タンクに合うように調節できる。
【０００９】
また、本発明は上記パチンコ球補給装置において、取付板と基板との互いの接触面に、該取付板の設定位置調節可能方向に一定ピッチで凹凸が連なるラック歯状の滑止部を形成し、該取付板に基板を固定するに際し該滑止部が互いに噛み合うようにしたことを特徴とする。
このように滑止部を設けたことにより、基板の固定が振動等により多少緩んだとしてもずれることなく設定位置が保持される。
また、本発明は上記パチンコ球補給装置において、取付板と基板とが相対する部分に該取付板に対する基板の設定位置を計測し得る目盛りを表示してなることを特徴とする。
このように目盛りを表示したことで設定作業が容易になる。
【発明の効果】
【００１０】
本発明によれば、適切な設定により、パチンコ球のこぼれ落ち、補給不良、等の障害をより確実に除去することができる。
【図面の簡単な説明】
【００１１】
【図１】本発明に係るパチンコ球補給装置をパチンコ機の裏側から見た島台上部の背面図。
【図２】図１のパチンコ球補給装置の拡大図。
【図３】本発明に係るパチンコ球補給装置の後下方からの斜視図。
【図４】図２のＡ−Ａ線断面図。
【図５】図２のＢ−Ｂ線断面図。
【図６】本発明に係るパチンコ球補給装置のスライド板の下方からの斜視図。
【図７】本発明に係るパチンコ球補給装置の取付板を前下方から見た斜視図。
【図８】本発明に係るパチンコ球補給装置の基板の斜視図。
【図９】本発明に係るパチンコ球補給装置の前方からの斜視図。
【図１０】本発明に係る調節部材の斜視図。
【図１１】本発明に係る調節部材の取付部の平面図。
【図１２】図１１のＣ−Ｃ線断面図。
【図１３】本発明に係るパチンコ球補給装置の取付状態を示した縦断面図。
【図１４】図１３のパチンコ球補給装置の作動状態を示した縦断面図。
【図１５】図１３のパチンコ球補給装置の作動状態を示した縦断面図。
【図１６】本発明に係る調節部材を取り外したときのパチンコ球補給装置の作動状態を示した縦断面図。
【図１７】本発明に係るパチンコ球補給装置の他の実施形態を示した縦断面図。
【図１８】本発明に係るパチンコ球補給装置の他の実施形態を示した斜視図。
【発明を実施するための形態】
【００１２】
次に本発明の実施形態を図面に従い説明する。図１において、１は島台の上部に設けられた球供給樋、２は該球供給樋から下方に導出されたコイルバネからなる可撓性のホース、３は該球供給樋より下方であって該島台の上部に略水平に設けられたアルミ型材からなる取付レールで、該取付レールにはアリ溝３ａが形成されている。４は該取付レールの下部に設置されたパチンコ機の機枠、５は該機枠に対し前方に開閉可能に軸支された前面枠で、該前面枠５の上部裏側に賞球用のパチンコ球を貯留するための賞球用球タンク６が設けられている。
【００１３】
図２〜図５に示したように、７は横断面形状が逆Ｌ字状のスライド板で、該スライド板の垂直板部７ｇに一体に形成された突片７ａを前記アリ溝３ａに遊嵌することにより、該スライド板７は該取付レール３の後面で該取付レールの長手方向に移動可能なるように取り付けられる。なお、図６に該スライド板７を単体で示したように、該スライド板７の垂直板部７ｇの一側縁に鉤状の案内突条７ｂが形成され、他側縁には直線状の案内突条７ｃが形成されている。また、７ｄは該スライド板７の垂直板部７ｇに形成された貫通孔である。また、該スライド板７の垂直板部７ｇに形成された上下方向に長い溝７ｅ中に一定ピッチで凹凸が連なるラック歯状の滑止部７ｆが刻設されている。
【００１４】
また、８は横断面形状が略Ｌ字状に形成された取付板で、該取付板の垂直板部８ｇの両端縁部８ａ，８ｂを前記案内突条７ｂ，７ｃに摺接させることにより、該取付板８はスライド板７に対し上下方向に移動可能に設けられる。なお、図７に該取付板８を単体で示したように、該取付板８の垂直板部８ｇには該垂直板部８ｇを貫通するように上下方向に長い長孔８ｃが形成されている。また、８ｄは該取付板８の垂直板部８ｇ表面に凹凸が前記滑止部７ｆと同じ一定ピッチで上下方向に連なるラック歯状なるように刻設された滑止部である。また、８ｉは該取付板８の垂直板部８ｇの一側縁部表面に上下方向に連なるように刻設された目盛りで、該目盛りは一目盛りが滑止部８ｄおよび前記滑止部７ｆの凹凸のピッチと同じにするのがよい。また、該取付板８の水平板部８ｈの一側縁に鉤状の案内突条８ｅが形成され、該水平板部８ｈの他側縁に直線状の案内突条８ｆが形成される。また、該水平板部８ｈの下面に前後方向に一定ピッチで凹凸が連なるラック歯状の滑止部８ｋが刻設される。なお、１４は該取付板８の水平板部８ｈに下面が開口するようにインサートされた雌ネジ部材である。
【００１５】
１０、１１は前記取付レール３にスライド板７および取付板８を固定するためのボルトおよび蝶ナットで、取付レール３のアリ溝３ａ中にボルト１０の頭部１０ａを遊嵌し、該ボルト１０をスライド板７の貫通孔７ｄおよび取付板８の長孔８ｃに貫通させ、該ボルト１０の先端に蝶ナット１１を螺合締付することにより、取付レール３に対しスライド板７と取付板８が密着して固定される。このとき、スライド板７の滑止部７ｆと取付板８の滑止部８ｄとが互いに噛合することにより、蝶ナット１１の締付が多少緩んでも取付板８が上下にずれることがないように固定される。そして、蝶ナット１１を意図的に緩めることによっては、スライド板７および取付板８が取付レール３に沿って摺動可能となると同時に、該取付板８はスライド板７に対し長孔８ｃの範囲内にて上下方向に定ピッチで移設可能になる。
【００１６】
１２は後述する補給筒等が設けられる略水平板状の基板で、該基板の両端縁部１２ｇ，１２ｈを前記案内突条８ｅ，８ｆに摺接させることにより、該基板１２は取付板８に対し前後方向に移動可能に設けられる。図８にも示されるように、該基板１２の一側縁に前後方向に長い長孔１２ａが形成される。また、１２ｂは該基板１２の上面に前後方向に長い溝１２ｃが形成され、該溝中に凹凸が前記滑止部８ｋと同じ一定ピッチで上下方向に連なるラック歯状なるように刻設された滑止部である。また、１２ｆは該基板の上面に前後方向に連なるように刻設された目盛りで、該目盛りは一目盛りを前記滑止部８ｋおよび滑止部１２ｂの凹凸のピッチと同じにするのがよい。
【００１７】
１３は取付板８に基板１２を固定するための蝶ボルトで、長孔１２ａに該蝶ボルト１３を貫挿するとともに該蝶ボルト１３の先端を前記雌ネジ部材１４に螺合締付する。これにより取付板８の水平板部８ｈ下面に該基板１２が密着して固定される。このとき、前記滑止部８ｋと滑止部１２ｂとが互いに噛合することにより、蝶ボルト１３の締付が多少緩んだとしても、基板１２が前後にずれるおそれがない。そして、蝶ボルト１３を意図的に緩めることによっては、基板１２は長孔１２ａの範囲内にて取付板８に対し前後方向に定ピッチで移設可能になる。このため、個々のパチンコ機の球タンクとの関係で、該基板１２を常に最適位置となるように設定することが可能となる。
【００１８】
基板１２の下面には水平面内でＬ字状に屈曲した管路１５が一体に形成され、該管路１５の後方突出端にビス１６ａにより回転許容継手１６が固設され、該回転許容継手１６にエルボ１７が回転自在に連結されている。そして、該エルボ１７に前記ホース２を連結することにより、パチンコ球が一列に整列した状態で前記球供給樋１からホース２を通って流下し、該管路１５に入り、該管路１５によって該パチンコ球が水平方向に導かれる。１８は補給筒で、該補給筒の基部１８ａの一側に形成された流入口１８ｂを管路１５の出口開口中に回転自在に挿入するとともに、該基部１８ａの他側に回転軸１８ｃを一体に形成し、該回転軸１８ｃを基板１２の下面に垂下状に形成された軸受１９に貫挿することで該回転軸１８ｃを回転自在に支持している。このため補給筒１８は管路１５と常時連通した状態であって鉛直面内で回転自在なるように支持される。２０は該補給筒１８を前方に回転するよう付勢するため、基板１２に一端２０ａを止着し他端２０ｂを回転軸１８ｃに止着したコイル状の第１バネである。なお、補給筒１８は該第１バネ２０の付勢により前方に回転し、該補給筒１８が基板１２の下縁に当接することにより前方起立状態になり回転が停止される。
【００１９】
２１は略く字状の形態に形成された棒状の作動杆、２２は幅板状に形成された球止片で、該作動杆と球止片とは基部２３を共通とする二股状に一体に形成されている。そして該基部２３の両側に支軸２４を突設し、該支軸を前記補給筒１８の後側（補給筒１８が前方起立状態であるときは下側）で該補給筒の基部１８ａ付近に支持している。このため、該作動杆２１は補給筒の基部１８ａ付近から所定の角度をもって後方（補給筒１８が前方起立状態であるときは下方）に延び、該補給筒１８と同方向に回転し得るように設けられる。また、球止片２２は補給筒１８の先端部開口１８ｄを開閉するもので、補給筒１８の後面（補給筒１８が前方起立状態であるときは下面）に沿って延びその先端に形成された突起２２ａが該補給筒１８の先端部開口縁に形成された切欠１８ｅから該補給筒内に出没自在なるようにしている。なお、１８ｆは補給筒１８の基部１８ａを覆うようにビス２５ａ，２５ｂによって固着された軸受体で、該軸受体１８ｆに前記支軸２４の両端部を貫挿することにより、前記支軸２４は実際には該軸受体１８ｆによって軸支されるようにしている。
【００２０】
２６は前記支軸２４の外周に設けられた第２バネで、該第２バネの一端を軸受体１８ｆの一部に止着するとともに他端を作動杆２１の後面基部付近に止着し、該第２バネ２６の弾性により該作動杆２１が前方に押圧され該作動杆と一体に形成された球止片２２を補給筒１８の後側面（補給筒１８が前方起立状態であるときは下面）に密接させている。これにより突起２２ａを補給筒１８内に突出させ該補給筒１８の先端部開口１８ｄが閉じられるようにしている。なお、第２バネ２６は、前記第１バネ２０が補給筒１８を前方に付勢する力よりもさらに強い力で該球止片２２と作動杆２１とを前方に付勢し得るように、該第１バネ２０および第２バネ２６の張力を設定している。
【００２１】
一方、図１０に単体で示したように、２７は定幅板状の調節部材で、該調節部材は図１１，図１２に示したように、基板１２に予め形成されたスリット状の係合孔１２ｄとコ字状の係合孔１２ｅに調節部材２７の先端縁２７ａおよび小突起２７ｂをそれぞれ係合することにより、該調節部材２７を基板１２の下面で補給筒１８の基部１８ａと相対する部位に着脱自在に取り付けられる。
【００２２】
このように構成したパチンコ球補給装置では、前記蝶ナット１１をいったん緩めて締め直すことにより、スライド板７と取付板８が左右および上下に位置調節され、蝶ボルト１３をいったん緩めて締め直すことにより、該取付板８に取付られた基板１２を前後に位置調節することができる。このため、これによってこのパチンコ球補給装置の補給筒１８、作動杆２１等の高さおよび前後左右の位置が予め調節される。
【００２３】
このとき島台に設けられた多数のパチンコ球補給装置について、いちいち設定位置を検証しなくても、一つのパチンコ機でテストして良好な結果が得られた球補給装置の上記目盛り８ｉおよび上記目盛り１２ｆを読んで取付板８および基板１２の設定位置をメモし、その設定位置を他のパチンコ球補給装置についても適用するべくこれらの目盛りを目安として同様に設定することにより、短時間で多数のパチンコ球補給装置を容易に最適な状態に設定することができる。なお、この目盛りは一目盛りを滑止部の凹凸のピッチと同じとなるように刻設することにより設定が一層容易になる。
【００２４】
また、このような滑止部がない場合はパチンコ球が動く際に伝わる振動等によって球補給装置がずれるおそれがあるが、上記滑止部７ｆ，８ｄおよび滑止部８ｋ，１２ｂが互いに噛み合っていることにより、蝶ナット１１や蝶ボルト１３が多少緩んでもずれ難くなるので、使用中に該球補給装置が位置ずれして不具合が生じるようなおそれがない。
【００２５】
また、このパチンコ球補給装置は、図１３に示したように、前面枠５が開けられているとき、第１バネ２０の張力により補給筒１８は前方起立状態となり、補給筒１８中に管路１５を通してパチンコ球が流入し、該パチンコ球は突起２２ａが該補給筒１８内に突出していることで流出が止められる。そして、前面枠５を閉じる過程で図１３に示したように球タンク６の後側壁が作動杆２１に係合し第１バネ２０の張力に抗して該作動杆および補給筒１８を後方に回転させ、図１４に示したように該補給筒１８の基部１８ａにある軸受体１８ｆの先端縁が調節部材２７に当ることにより該補給筒の後方への回転が停止され、該補給筒が球タンク６中にて垂下状態になる。そしてこの状態からさらに該球タンク６の後側壁によって該作動杆２１が後方に押圧される（図１５に示したように前面枠５が完全に閉じられた状態になる）と、該作動杆２１が第２バネ２６の張力に抗して球止片２２を可動させ突起２２ａを該補給筒内から退避させて該補給筒の先端部開口を開放させる。このため、該補給筒中のパチンコ球が該球タンク６中に放出され、遊技中は該球タンク６のパチンコ球の貯留量が一定レベルに維持されるようにこの補給が続く。
【００２６】
このように補給筒１８からパチンコ球が放出されるときの該補給筒１８の角度は、補給筒１８の基部１８ａにある軸受体１８ｆの先端縁が調節部材２７に当接するときの該補給筒１８の角度であるので、この実施形態で示したように適宜厚さの調節部材２７を基板１２の下面に取り付けることにより該角度を個々のパチンコ機の球タンク６の状況に合うようにきめ細かに調節することができる。このため、前面枠５が閉じられる状況に対してパチンコ球の放出時期が早すぎてパチンコ球が外にこぼれたり、或いは、前面枠５を全閉しても球タンク６によって作動杆２１が十分に押圧されずパチンコ球が放出されないといった不具合をこの調節部材２７により解消することができる。なお、図１６に示したように、調節部材を取り外したときは、基板１２の下面に補給筒１８の基部１８ａにある軸受体１８ｆの先端縁が直接当たり、該補給筒１８の回転停止角度が最も大きくなる。
【００２７】
また、前面枠５の鍵を解除して前面枠５を開けるに際し、図１４に示したように該前面枠５が僅かに開いた状態になると、球タンク６の後側壁によって作動杆２１を押圧していた力が無くなるので、先ず強い張力の第２バネ２６により球止片２２が元に戻り突起２２ａが補給筒１８内に突出することで該補給筒１８の先端部開口１８ｄが閉じられる。このため補給筒１８内のパチンコ球の放出はただちに停止され、次いで第１バネ２０の張力により補給筒１８が前方起立状態となるので、パチンコ球がこぼれるおそれなく、前面枠５を開けることができ、故障発生時等に前面枠５を開閉させる作業を容易にする。
【００２８】
なお、図示しないが、基板１２の一部に補給筒１８の回転状態を検出するマイクロスイッチ等の検出器を設けることにより、該補給筒１８の開閉状況が電気信号として外部に出力されるようにすることができる。
また、この実施形態では第１バネおよび第２バネについてコイル状のものを説明したが、その他の形状のバネ（弾性復元力を有する部材、即ち、スプリング，弾性体と同等）を代用することもできる。
【００２９】
一方、図１７に示した本発明の他の実施形態は、基板１２にナット２７ｃを固設し、該ナットにネジ軸からなる調節部材２７を螺合することで該調節部材２７を基板１２に貫通させて該調節部材２７の先端を基板１２の下面に垂下し、該調節部材２７の先端に補給筒１８の基部１８ａに相当する軸受体１８ｆの先端縁が当接し得るようにしたものである。この場合、調節部材２７を回転させて該調節部材２７の先端が基板１２の下面から突出する長さを適宜調節することにより、補給筒１８の回転停止角度を自在に調節することができるので該補給筒１８が常に最適な角度で開閉するように調節できる。
【００３０】
また、図１８に示した実施形態は、長孔２７ｄが形成された湾曲板状の調節部材２７を該長孔２７ｄに前記ビス２５ｂを貫挿することにより補給筒１８の基部１８ａに取付けたもので、この実施形態では、該ビス２５ｂを締め直すことにより長孔２７ｄの形成範囲内で該調節部材２７の取付位置を微調節することができるので、該ビス２５ｂを締め直すことにより軸受体１８ｆの先端縁からの突出長が調節され、これによって該調節部材２７の先端部が基板１２の下面に当接する際の該補給筒１８の回転停止角度を自在に調節できる。
以上の実施形態に示したように、本発明では、調節部材２７を基板１２または補給筒１８のいずれかに設ければよい。
【符号の説明】
【００３１】
１      球供給樋
２      ホース
３      取付レール
３ａ    アリ溝
４      パチンコ機の機枠
５      前面枠
６      球タンク
７      スライド板
７ｆ    滑止部
８      取付板
８ｃ    長孔
８ｄ    滑止部
８ｉ    目盛り
８ｋ    滑止部
１０    ボルト
１１    蝶ナット
１２    基板
１２ａ  長孔
１２ｂ  滑止部
１２ｆ  目盛り
１３    蝶ボルト
１４    雌ネジ部材
１５    管路
１８    補給筒
１８ａ  補給筒の基部
１８ｆ  軸受体
２０    第１バネ
２１    作動杆
２２    球止片
２２ａ  突起
２３    作動杆と球止片の基部
２４    支軸
２６    第２バネ
２７    調節部材
【図１】
0005118187.tif 000002
【図２】
0005118187.tif 000003
【図３】
0005118187.tif 000004
【図４】
0005118187.tif 000005
【図５】
0005118187.tif 000006
【図６】
0005118187.tif 000007
【図７】
0005118187.tif 000008
【図８】
0005118187.tif 000009
【図９】
0005118187.tif 000010
【図１０】
0005118187.tif 000011
【図１１】
0005118187.tif 000012
【図１２】
0005118187.tif 000013
【図１３】
0005118187.tif 000014
【図１４】
0005118187.tif 000015
【図１５】
0005118187.tif 000016
【図１６】
0005118187.tif 000017
【図１７】
0005118187.tif 000018
【図１８】
0005118187.tif 000019